(57)【要約】【課題】  表示装置において、電気部品の使用が困難な雰囲気下における装置使用に対する安全性および信頼性を高める。【解決手段】  一端に入射端１１を有し、他端に表示部１２を構成した複数の光ファイバを束ねたファイババンドル部１０を用意し、入射端１１を大気中に位置させ表示部１２を水中Ｗに位置させ、ファイババンドル部１０を屈曲させながら、このファイババンドル部１０の入射端１１に対する表示部１２の位置を移動可能にする。この状態で、画像情報入力部２０により画像情報を担持した光を入射端１１に入射しファイババンドル部１０を通して上記光を表示部１１に伝播させ、この光が担持している画像情報を表示部１１に表示させる。【選択図】          図１
2005077497.tif 000002
【特許請求の範囲】
【請求項１】
複数の光ファイバを束ねたファイババンドルと、前記ファイババンドルの一端に画像情報を担持した光を入射させる画像情報入力部とを備え、
前記ファイババンドルの他端が表示部を構成し、前記画像情報入力部が前記ファイババンドルの一端に入射した画像情報を担持した光を該ファイババンドルを通して前記表示部に伝播し該光が担持している画像情報をこの表示部に表示する表示装置あって、
前記ファイババンドルを屈曲自在とし、該ファイババンドルを屈曲させてこのファイババンドルの前記一端に対する前記表示部の位置を移動可能に構成したことを特徴とする表示装置。
【請求項２】
前記ファイババンドルが、２０ｍ以上の長さを有するものであることを特徴とする請求項１記載の表示装置。
【発明の詳細な説明】
【技術分野】
【０００１】
本発明は表示装置に関し、特に、電気部品の使用が困難な雰囲気下で用いられる表示装置に関するものである。
【背景技術】
【０００２】
従来より、表示装置として、ブラウン管表示装置、液晶表示装置、プラズマ表示装置、有機ＥＬ表示装置、フィールドエミッション表示装置等が知られている。これらの表示装置の多くは、表示部、光源、および光変調回路等が一体的に形成されており、装置の薄型化や軽量化、あるいは表示される画像の高精細化等の要請に応じた製品が開発されている（例えば、特許文献１、特許文献２参照）。
【特許文献１】特開平６−２９６０２１号公報
【特許文献２】特開平５−３０９７号公報
【発明の開示】
【発明が解決しようとする課題】
【０００３】
ところで、上記各表示装置を水中や可燃性ガス雰囲気中等で使用し、さらに表示部の位置を水中や可燃性ガス雰囲気中において移動させたいという要請もある。上記各表示装置を水中で使用する場合には、各装置内の電気部品が配置されている領域への水の侵入により電気回路がショートしたり金属部品が腐蝕したりして装置の故障の原因となる虞があり、また、上記各表示装置を可燃性ガス雰囲気中で使用する場合には、電気部品から発生した火花が可燃性ガスに引火し火災が発生する虞があるため、上記各表示装置の水中や可燃性ガス雰囲気中での使用に際し、各装置に防水、防火対策を施す必要がある。
【０００４】
しかしながら、一般に、上記防水、防火対策は、装置を樹脂やガラス等で覆い密封することにより実施され、装置への電源の供給、画像信号の伝送、および表示部の位置の移動等をも考慮して、この表示装置に対して確実な防水、防火対策を施すことは現実的には難しいという問題がある。
【０００５】
本発明は、上記事情に鑑みてなされたものであり、電気部品の使用が困難な雰囲気下における装置使用に対する安全性および信頼性を高めることができる表示装置を提供することを目的とするものである。
【課題を解決するための手段】
【０００６】
本発明の表示装置は、複数の光ファイバを束ねたファイババンドルと、前記ファイババンドルの一端に画像情報を担持した光を入射させる画像情報入力部とを備え、ファイババンドルの他端の端面が表示部を構成し、画像情報入力部がファイババンドルの一端に入射した画像情報を担持した光をこのファイババンドルを通して表示部に伝播し該光が担持している画像情報を表示部に表示する表示装置であって、ファイババンドルを屈曲自在とし、該ファイババンドルを屈曲させてこのファイババンドルの一端に対する表示部の位置を移動可能に構成したことを特徴とするものである。
【０００７】
前記ファイババンドルは、２０ｍ以上の長さを有するものとすることもでき、１００ｍ以上の長さを有するものとすることもできる。
【発明の効果】
【０００８】
本発明の表示装置によれば、複数の光ファイバを束ねたファイババンドルと、ファイババンドルの一端に画像情報を担持した光を入射させる画像情報入力部とを備え、ファイババンドルの他端が表示部を構成し、画像情報入力部がファイババンドルの一端に入射した画像情報を担持した光を上記ファイババンドルを通して表示部に伝播しこの光が担持している画像情報を表示部に表示させるとともに、ファイババンドルを屈曲自在とし、該ファイババンドルを屈曲させてこのファイババンドルの一端に対する表示部の位置を移動可能に構成したので、表示部に表示する画像を示す画像情報を光ファイバを束ねたファイババンドルを通して伝播することができ上記ファイババンドルおよび表示部に電気部品を配置する必要がないので、電気部品で構成された画像情報入力部を上記雰囲気から離れた場所に位置させた状態において、電気部品を持たない表示部およびファイババンドルのみを電気部品の使用が困難な雰囲気下に移動可能に位置させることができる。それにより、上記ファイババンドルおよび表示部に対して防水、防火対策等を施すことなく、例えば、水中での使用における水の侵入による電気回路のショートや、可燃性ガス雰囲気中での使用における火花発生による可燃性ガスの引火等を防ぐことができ、電気部品の使用が困難な雰囲気下における装置使用に対する安全性および信頼性を高めることができる。
【０００９】
また、ファイババンドルを、２０ｍ以上の長さを有するものとすれば、この表示部を電気部品で構成された画像情報入力部からより離れた場所に位置させることができ、電気部品の使用が困難な雰囲気下における装置使用に対する安全性および信頼性をより高めることができる。
【発明を実施するための最良の形態】
【００１０】
以下、本発明の実施の形態について説明する。図１は本発明の第１の実施の形態における表示装置の概略構成を示す概略図、図２は表示部に表示された画像を示す図、図３はＲＧＢ回転フィルタの構造を示す図、図４はカラー動画を表示部に表示するように改良した表示装置の概略構成を示す図である。
【００１１】
本発明の第１の実施の形態の表示装置１００は、複数の光ファイバを束ねたファイババンドル部１０と、ファイババンドル部１０の一端である入射端１１に画像情報を担持した光を入射させる画像情報入力部２０とを備えている。
【００１２】
ファイババンドル部１０の上記入射端１１の側とは反対側の他端である射出端は表示部１２を構成しており、画像情報入力部２０がファイババンドル部１０の入射端１１に入射した画像情報を担持した光はファイババンドル部１０を通って表示部１２に伝播され、上記光が担持している画像情報が表示部１２に表示される。
【００１３】
この表示装置１００は、ファイババンドル部１０を屈曲させながら、ファイババンドル部１０の入射端１１に対する表示部１１の位置を移動させることが可能であり、ファイババンドル部１０の長さは２０ｍ以上である。
【００１４】
画像情報入力部２０は、光を発する光源２１と、光源２１から発せられた光を平行光にするコリメートレンズ２２と、コリメートレンズ２２を通って平行光となった光を一端の入射端２３Ａから入射し他端である射出端２３Ｂらから射出するリレーファイババンドル２３と、リレーファイババンドル２３の射出端２３Ｂから射出された光を光変調してファイババンドル部１０の入射端１１に入射させる複数の音響光学素子（以後、複数の音響光学素子をＡＯＭ２４という）と、上記光を光変調するＡＯＭ２４を制御する光変調制御部２５とを有している。
【００１５】
上記リレーファイババンドル２３はファイババンドル部１０を構成する光ファイバと同数の光ファイバを束ねてなるものであり、ＡＯＭ２４はファイババンドル部１０と同数の個別のＡＯＭから構成されている。そして、リレーファイババンドル２３を構成する各光ファイバから射出された光は各ＡＯＭ２４を通ってファイババンドル部１０を構成する各光ファイバに入射する。例えば、リレーファイババンドル２３を構成する一本の光ファイバ２３ａから射出された光は１つのＡＯＭ２４ａを通ってファイババンドル部１０を構成する１本の光ファイバ１０ａに入射し、この光ファイバ１０ａを通って表示部１２に伝播され、表示部１２中の１画素として表示される。ここで、光変調制御部２５によるＡＯＭ２４ａの制御により、上記光ファイバ２３ａから射出されてＡＯＭ２４ａに入射した光の上記光ファイバ１０ａへの伝播と遮断とが制御され、これにより、光ファイバ１０ａに対応する表示部１２中の１画素の表示が変更される。
【００１６】
次に上記実施の形態における作用について説明する。
【００１７】
ファイババンドル部１０の入射端１１および画像情報入力部２０を大気中の所定の場所に設置し、ファイババンドル部１０の射出端である表示部１２を水中Ｗに位置させる。なお、ファイババンドル部１０は屈曲自在とされ、表示部１２は、ファイババンドル部１０を屈曲させることにより入射端１１に対して移動可能となるように水中Ｗに位置させる。
【００１８】
画像情報入力部２０の光源２１を点灯させると、光源２１から発せられた光は、コリメートレンズ２２、リレーファイババンドル２３、ＡＯＭ２４を通って、ファイババンドル部１０の入射端１１に入射しこのファイババンドル部１０を通って表示部１２に伝播される。ここで、光変調制御部２５がＡＯＭ２４を制御して全てのＡＯＭ２４が光を通すように制御されると、ファイババンドル部１０を構成する全ての光ファイバに上記光が入射し、これらの光が表示部１２に伝播され表示部１２中の全ての画素が図２（ａ）に示すように同じ濃度で明るく示される。
【００１９】
次に、光変調制御部２５に文字「１」を示す画像信号Ｇ１を外部から入力する。画像信号Ｇ１を入力した光変調制御部２５は、各ＡＯＭ２４を制御し各ＡＯＭ２４を通る光を光変調する。これにより、ＡＯＭ２４から射出される光に上記文字「１」を示す画像情報が担持される。上記画像情報が担持された光はファイババンドル部１０の入射端１１に入射して表示部１２に伝播され、図２（ｂ）に示すように、表示部１２の各画素の輝度差により文字「１」を示す画像がこの表示部１２に表示される。
【００２０】
上記光変調制御部２５へ入力する画像信号Ｇ１の変更により、上記のような文字に限らず図形さらには動画等を表示部１２に表示させることもできる。
【００２１】
なお、上記表示装置による表示をカラー化するために、画像情報入力部にカラーフィルタ部を付加し、光変調制御部がこのカラーフィルター部の制御を行なうようにしてもよい。
【００２２】
すなわち、図３および図４に示すように、画像情報入力部に、回転軸の回りを３分割した各領域に赤フィルタ３１Ｒ、緑フィルタ３１Ｇ、青フィルタ３１Ｂの３種類のフィルタを配したＲＧＢ回転フィルタ３１、およびこのＲＧＢ回転フィルタ３１を回転させる回転モータ３２を有するカラーフィルタ部３０と、上記光変調制御部２５の機能に対して、外部から入力されたカラー画像信号Ｇ２に基づいて各ＡＯＭ２４による光変調を行なう機能と上記回転モータ３２の回転とが同期するように制御する機能とを付加した光変調制御部２５′とを配した画像情報入力部２０′を備えるようにしてもよい。
【００２３】
画像情報入力部２０′により、例えば、毎秒３０フレームの割合で表示部１２に表示する画像を更新してこの表示部１２にカラー動画を表示させる場合には、光変調制御部２５′により回転モータ３２を制御しＲＧＢ回転フィルタ３１を５４００ｒｐｍで回転させ、回転モータ３２に搭載されている回転エンコーダ３２Ａから入力した上記回転モータ３２の回転軸の回転角度を示す信号に基づいて、光変調制御部２５′が、上記３色の各フィルタが光源２１とコリメートレンズ２２との間を横切るタイミングと各ＡＯＭ２４による光変調のタイミングとが同期するように各ＡＯＭ２４を制御する。これにより、ＲＧＢ回転フィルタが１回転する１／３０秒の間に、ファイババンドル部１０の入射端１１に上記カラー画像信号Ｇ２に基づいて光変調された赤色画像、緑色画像、青色画像を担持した各光を入射し、上記カラー画像信号Ｇ２に基づくカラー動画をこの表示部１２に表示させるようにしてもよい。
【００２４】
なお、上記ファイババンドル部１０の長さは２０ｍ以上とする場合に限らず、このファイババンドル部１０を屈曲させながら入射端１１に対する表示部１２の位置を移動可能であればどのような長さであってもよい。
【００２５】
以下、本発明の第２の実施の形態の表示装置について説明する。図５は本発明の第２の実施の形態における表示装置を示す概略図である。なお、以下の説明においては、第１の実施の形態と共通の構成については同じ符号を使用し説明を省略する。
【００２６】
第２の実施の形態の表示装置１０２は、上記第１の実施の形態と同様のファイババンドル部１０と、ファイババンドル部１０の表示部１２に表示させる画像を示す画像情報を担持した光を入射端１１へ入射する画像情報入力部４０とを備えている。
【００２７】
画像情報入力部４０は、赤ランプ４１Ｒ、緑ランプ４１Ｇ、青ランプ４１Ｂが配された赤、緑、青の３色の光を発する光源４１、光源４１によって照明される透過型の液晶パネル４２、液晶パネル４２に表示された画像をファイババンドル部１０の入射端１１に結像させる結像レンズ４３、および光源４１の各ランプを点灯させたり液晶パネル４２に画像を表示させたりすると共に、各ランプの点灯と液晶パネル４２への画像の表示とを同期制御する同期制御部４５を有している。
【００２８】
次に上記実施の形態における作用について説明する。
【００２９】
ファイババンドル部１０の入射端１１および画像情報入力部４０を大気中の所定の場所に設置し、ファイババンドル部１０の射出端である表示部１２を可燃性ガス雰囲気となっている密閉空間内Ｑに位置させる。なお、上記密閉空間内Ｑにおいて表示部１２の位置上記入射端１１の位置に対して移動可能である。
【００３０】
外部から同期制御部４５にカラー画像信号Ｇ３を入力すると、カラー画像信号が入力された同期制御部４５はこのカラー画像信号Ｇ３に基づいて液晶パネル４２を制御し、この液晶パネル４２上に画像を形成するとともに、この画像の形成に同期させて光源４１の特定のランプを点灯させて上記液晶パネル４２に形成された画像を照明する。光源４１によって照明された液晶パネル４２上の画像から発せられた光は、結像レンズ４３を通ってファイババンドル部１０の入射端１１に結像される。入射端１１に結像された画像はファイババンドル部１０の各光ファイバを通って表示部１２に伝播され、上記画像が表示部１２に表示される。
【００３１】
例えば、毎秒３０フレームでカラーの動画像を表示部１２に表示させる場合には、同期制御部４５の制御により、光源４１の赤ランプ４１Ｒ、緑ランプ４１Ｇ、青ランプ４１Ｂをそれぞれ１／９０秒おきに順次点灯させ、各ランプの点灯に同期するように液晶パネル４２に画像を形成する。
【００３２】
なお、液晶パネル４２の代わりに、多数のマイクロミラーで光を反射して画像を形成するデジタルマイクロミラー（ＤＭＤ）を用いるようにしてもよい、この場合には光源４１を結像レンズ４３の側に位置させ上記ＤＭＤを照明する。
【００３３】
なお、上記表示装置は、水中や可燃性ガス雰囲気中に限らず、電気部品の使用が困難な雰囲気下において安全性および信頼性を高める効果を奏することができる。
【図面の簡単な説明】
【００３４】
【図１】本発明の第１の実施の形態における表示装置の概略構成を示す概略図
【図２】表示部に表示された画像を示す図
【図３】ＲＧＢ回転フィルタの構造を示す図
【図４】カラー動画を表示部に表示するように改良した表示装置の概略構成を示す図
【図５】本発明の第２の実施の形態における表示装置の概略構成を示す概略図
【符号の説明】
【００３５】
１０    ファイババンドル部
１１    入射端
１２    表示部
２０    画像情報入力部
１００    表示装置
【図１】
2005077497.tif 000003
【図２】
2005077497.tif 000004
【図３】
2005077497.tif 000005
【図４】
2005077497.tif 000006
【図５】
2005077497.tif 000007